(57)【要約】【課題】物品を置いたり作業をするスペースや収納スペースを増やすとともに、水はね防止及び手元隠しを可能とし、シンク側利用者だけでなくダイニング側利用者にも使い勝手がよいアイランド型キッチンを実現する。【解決手段】天板２と、天板２に取り付けられたシンク４と、天板２の下部に配置されるキャビネット５を備え、天板２の背面側の端部に回動可能に取り付けられた補助天板３を有し、この補助天板３は、天板２と同じ面となるような水平状態と、垂直に起立した起立状態に選択的に保持可能である。【選択図】　　　図１
2004049565.tif 000002
【特許請求の範囲】
【請求項１】
天板と、該天板に取り付けられたシンクと、該天板の下部に配置されるキャビネットとから成るアイランド型キッチンにおいて、前記天板のシンクに対する背面側の端部に回動可能に取り付けられた補助天板を有し、該補助天板は、前記天板と同じ面となるような水平状態と、前記天板に対して垂直に起立した起立状態に選択的に保持可能であることを特徴とするアイランド型キッチン。
【請求項２】
請求項１記載のアイランド型キッチンにおいて、前記補助天板の裏面に収納部を備えたことを特徴とするアイランド型キッチン。
【請求項３】
天板と、該天板に取り付けられたシンクと、該天板の下部に配配されるキャビネットとから成るアイランド型キッチンにおいて、前記天板の上面に握りバーを備えたことを特徴とするアイランド型キッチン。
【請求項４】
天板と、該天板に取り付けられたシンクと、該天板の下部に配置されるキャビネットとから成るアイランド型キッチンにおいて、前記天板の側面又は前記キャビネットの側板に握りバーを備えたことを特徴とするアイランド型キッチン。
【請求項５】
請求項３又は４記載のアイランド型キッチンにおいて、前記握りバーに物品載置台を取り付けたことを特徴とするアイランド型キッチン。
【請求項６】
天板と、該天板に取り付けられたシンクと、該天板の下部に配置されるキャビネットとから成るアイランド型キッチンにおいて、前記キャビネットの側板にレール部材が取り付けられており、前記レール部材によって前記天板の上方を水平方向に移動可能な物品載置台を備えたことを特徴とするアイランド型キッチン。
【請求項７】
請求項６記載のアイランド型キッチンにおいて、前記物品載置台が回動可能であることを特徴とするアイランド型キッチン。
【請求項８】
天板と、該天板に取り付けられたシンクと、該天板の下部に配置されるキャビネットとから成るアイランド型キッチンにおいて、前記キャビネットは、前記シンク側の前側キャビネットと、前記前側キャビネットの背面に位置する背面キャビネットに分けられており、前記天板に設置可能な物品載置台が前記背面キャビネット内に格納可能であることを特徴とするアイランド型キッチン。
【請求項９】
天板と、該天板に取り付けられるシンクと、該天板の下部に配置されるキャビネットとから成るアイランド型キッチンにおいて、前記キャビネットは、前記シンク側の前側キャビネットと、前記前側キャビネットの背面に位置する背面キャビネットに分けられ、前記背面キャビネット内に椅子が格納可能であることを特徴とするアイランド型キッチン。
【請求項１０】
請求項９記載のアイランド型キッチンにおいて、前記椅子の背板が前記背面キャビネットの面材を兼ねていることを特徴とするアイランド型キッチン。
【請求項１１】
請求項９又は１０記載のアイランド型キッチンにおいて、前記背面キャビネット内の前記椅子の上部に棚が格納可能であることを特徴とするアイランド型キッチン。
【請求項１２】
天板と、該天板に取り付けられるシンクと、該天板の下部に配置されるキャビネットとから成るアイランド型キッチンにおいて、前記キャビネットは、前記シンク側の前側キャビネットと、前記前側キャビネットの背面に位置する背面キャビネットに分けられており、前記背面キャビネット内にキャスター付きの収納棚が格納可能であることを特徴とするアイランド型キッチン。
【請求項１３】
請求項１２記載のアイランド型キッチンにおいて、前記収納棚の上部に、前記天板よりも上側に位置する物品載置台を備えたことを特徴とするアイランド型キッチン。
【請求項１４】
請求項１２記載のアイランド型キッチンにおいて、前記収納棚の背面に折り畳み可能な棚を備えたことを特徴とするアイランド型キッチン。
【発明の詳細な説明】
【０００１】
【発明の属する技術分野】
本発明は、アイランド型キッチンに関し、特に、シンク側だけでなく、ダイニング側からも使い勝手のよい、収納設備を備えているとともに、食器等の物品を置いたり、作業をしたり、簡単な食事をしたりすることができ、必要に応じて使用状態にセットでき、不使用時には収納可能となる補助的な台、棚、テーブル等の多機能的な設備を備えたアイランド型キッチンに関する。
【０００２】
【従来の技術】
最近のキッチンでは、ダイニング（又はリビング）とのつながりを考慮したアイランド型キッチンの利用が多くなっている。従来、アイランド型キッチンにおいて、シンクを有する天板と、この天板の下方に収納用の各種のタイプのキャビネットを設けた構成は知られている（特開平５−７６４２１号公報、特開平５−１３０９１９号公報参照。）。
【０００３】
【発明が解決しようとする課題】
ところで、従来のアイランド型キッチンでは、次のような問題があり、さらに使い勝手の改善が求められている。
（１）アイランド型キッチンは、キッチンルームの壁、窓或いはコーナー等に沿って設けられる従来のキッチンと異なり、キッチンルーム、ダイニングルーム等の境界や中央に設けられて使用されるという性質上、天板は余り広くすることができず、食器等の物品を置く面積に制限があり、この面で利用スペースが少なく、シンク側からもダイニング側からも使い勝手の改善が必要であった。
【０００４】
（２）アイランド型キッチンは、よりダイニング側に進出し、キッチンとダイニング側のつながりを強くし、又キッチン利用者だけでなく、ダイニング側の使用者にいろいろと便宜が図れるというきわめて特徴的なコンセプトを有するにも拘わらず、従来のアイランド型キッチンは、やはりシンク側の便利さに片寄りがちで、ダイニング側の使用者が利用できる設備、例えばごく簡単にセットできる補助的な棚やテーブル、或いは本や新聞等を入れるちょっとした収納具、必要に応じて引き出して座れるような収納自在の椅子等を設けるようなきめ細かい配慮はされていない。
【０００５】
（３）アイランド型キッチンが、キッチンとダイニングの境界等、部屋の中で利用されるという特殊性により新たに生じる問題点、例えば、水はねを特に注意する必要があるという点、或いはキッチン利用者とダイニング側に居る人があまりにも近すぎることによる両者の心理的な負担（シンク側利用者は調理や食器洗い中は手元を見られたくない等）があるという点等を解決する仕切板等の配慮はされていない。
【０００６】
本発明は、このような従来のアイランド型キッチンのいろいろな問題を解決することを目的とし、使用及び不使用に際して、簡単にセット及び収納できる補助的なテーブルや棚を有し、水はね防止及び手元隠しのための仕切として機能し、さらに本、雑誌、椅子等収納できる等、シンク側利用者だけでなくダイニング側利用者にも使い勝手がよいアイランド型キッチンを実現するものである。
【０００７】
【課題を解決するための手段】
本発明は上記課題を解決するために、天板と、該天板に取り付けられたシンクと、該天板の下部に配置されるキャビネットとから成るアイランド型キッチンにおいて、前記天板のシンクに対する背面側の端部に回動可能に取り付けられた補助天板を有し、該補助天板は、前記天板と同じ面となるような水平状態と、前記天板に対して垂直に起立した起立状態に選択的に保持可能であることを特徴とするアイランド型キッチンを提供する。
【０００８】
このアイランド型キッチンにおいて、補助天板の裏面に収納部を備えた構成としてもよい。
【０００９】
本発明は上記課題を解決するために、天板と、該天板に取り付けられたシンクと、該天板の下部に配置されるキャビネットとから成るアイランド型キッチンにおいて、前記天板の上面に握りバーを備えたことを特徴とするアイランド型キッチンを提供する。
【００１０】
本発明は上記課題を解決するために、天板と、該天板に取り付けられたシンクと、該天板の下部に配置されるキャビネットとから成るアイランド型キッチンにおいて、前記天板の側面又は前記キャビネットの側板に握りバーを備えたことを特徴とするアイランド型キッチンを提供する。
【００１１】
前記握りバーに物品載置台を取り付けた構成としてもよい。
【００１２】
本発明は上記課題を解決するために、天板と、該天板に取り付けられたシンクと、該天板の下部に配置されるキャビネットとから成るアイランド型キッチンにおいて、前記キャビネットの側板にレール部材が取り付けられており、前記レール部材によって前記天板の上方を水平方向に移動可能な物品載置台を備えたことを特徴とするアイランド型キッチンを提供する。
【００１３】
このアイランド型キッチンにおいて、物品載置台が回動可能である構成としてもよい。
【００１４】
本発明は上記課題を解決するために、天板と、該天板に取り付けられたシンクと、該天板の下部に配置されるキャビネットとから成るアイランド型キッチンにおいて、前記キャビネットは、前記シンク側の前側キャビネットと、前記前側キャビネットの背面に位置する背面キャビネットに分けられており、前記天板に設置可能な物品載置台が前記背面キャビネット内に格納可能であることを特徴とするアイランド型キッチンを提供する。
【００１５】
本発明は上記課題を解決するために、天板と、該天板に取り付けられるシンクと、該天板の下部に配置されるキャビネットとから成るアイランド型キッチンにおいて、前記キャビネットは、前記シンク側の前側キャビネットと、前記前側キャビネットの背面に位置する背面キャビネットに分けられ、前記背面キャビネット内に椅子が格納可能であることを特徴とするアイランド型キッチンを提供する。
【００１６】
このアイランド型キッチンにおいて、椅子の背板が背面キャビネットの面材を兼ねている構成としてもよい。
【００１７】
このアイランド型キッチンにおいて、背面キャビネット内の椅子の上部に棚が格納可能である構成としてもよい。
【００１８】
本発明は上記課題を解決するために、天板と、該天板に取り付けられるシンクと、該天板の下部に配置されるキャビネットとから成るアイランド型キッチンにおいて、前記キャビネットは、前記シンク側の前側キャビネットと、前記前側キャビネットの背面に位置する背面キャビネットに分けられており、前記背面キャビネット内にキャスター付きの収納棚が格納可能であることを特徴とするアイランド型キッチンを提供する。
【００１９】
このアイランド型キッチンにおいて、前記収納棚の上部に、前記天板よりも上側に位置する物品載置台を備えた構成としてもよい。
【００２０】
このアイランド型キッチンにおいて、収納棚の背面に折り畳み可能な棚を備えた構成としてもよい。
【００２１】
【発明の実施の形態】
本発明に係るアイランド型キッチンの実施の形態を実施例に基づいて図面を参照して以下に説明する。なお、本明細書では、「シンク側」とは、調理者から見てシンクの手前側を言い、「背面側」とは、シンクに対する背面側、即ちシンクの奥の側を言い、「ダイニング側」とも言う。
【００２２】
（実施例１）
図１は、本発明の実施例１を説明する図である。図１において、実施例１のアイランド型キッチン１は、図１（ａ）でその斜視図を示すが、天板２と、補助天板３と、天板２に取り付けられたシンク４と、天板２の下部に配置される収納用のキャビネット５とを備えている。
【００２３】
補助天板３は、図１（ｂ）、（ｃ）に示すように、天板２の背面側の端部に、端縁に沿って設けたヒンジ６で枢着されており、回動可能である。しかも、補助天板３は、天板２と面一な水平状態（図１（ｂ）、（ｅ））とするか、天板２に対して垂直に起立した起立状態（図１（ｃ）、（ｆ））とするか、回動して二つの位置に選択することができる。
【００２４】
起立状態では、起立保持手段で起立状態を維持する。起立保持手段としてはいろいろな構成が考えられるが、簡単な構成としては、図１（ｃ）に示すように、起立状態で係止され外力により係止が解除される構造のヒンジ（節動型のヒンジ）を利用してもよいし、或いは図１（ｄ）に示すように、補助天板３の側面にピン７を設け、このピン７に係脱自在な掛け金８を天板２の側面に枢着して設ける構成としてもよい。
【００２５】
実施例１は、このような構成であるから、図１（ｅ）に示すように、補助天板３を水平状態にセットすれば、使用者が背面側から補助的なテーブルとして使用でき、例えば、使用者が椅子９に座って補助天板３を使用して簡単な食事をとるようなこともできる。又、図１（ｆ）に示すように、補助天板３を起立状態にセットすれば、調理時の手元隠しや水はねを防止する仕切板として使用することもできる。
【００２６】
（実施例２）
図２は、本発明の実施例２を説明する図である。この実施例２は、実施例１と略同じ構成であるが、実施例２に特有な構成は、図２（ａ）でその斜視図を示すように、補助天板３の裏面（背面）に収納部を設けた点である。この収納部は、いろいろな態様が考えられるが、この実施例２のアイランド型キッチン１０は、収納部としてネット状ポケット１１を設けたものを示す。
【００２７】
実施例１と同様に、使用者は補助天板３を水平状態として補助的なテーブルとしてダイニング側から使用できるが、この場合、図２（ｂ）に示すように、補助天板３の裏面（下面）に付設されたネット状ポケット１１に物、例えば雑誌１２や新聞等を収納できる。この場合、収納部がネット状ポケット１１であると、補助天板３を水平状態にしても、ネット状ポケット１１が下方に膨らみ収納した物が落ちにくい。
【００２８】
又、図２（ｃ）に示すように、補助天板３を起立した垂直位置に選択し、調理時の手元隠しや水はねを防止する仕切板として使用する場合でも、裏面に付設されたネット状ポケット１１に物、例えば雑誌１２や新聞等を収納できる。
【００２９】
（実施例３）
図３、４は、本発明の実施例３のアイランド型キッチン１３及びその変形例を説明する図である。この実施例３及びその変形例に示すアイランド型キッチンの特徴的な構成は、握りバー１４を備えているとともに、この握りバー１４に物品載置台１５を着脱可能に取り付けられるようにした構成である。
【００３０】
図３（ａ）に斜視図で示す実施例３のアイランド型キッチン１３は、天板２と、天板２に取り付けられたシンク４と、天板２の下部に配置されるキャビネット５と、握りバー１４とを備え、必要に応じて、物品載置台１５が着脱可能に取り付けられ、物品載置台１５の不使用時は握りバー１４が使用者のサポートバーとして機能するものである。
【００３１】
握りバー１４は、ほぼＵ型をしており、天板２の上面であって左右両側に夫々前後方向（シンク側と背面側の方向）に延びるように上方に向けて取り付けられている。具体的には、図３（ｂ）に示すように、握りバー１４の前後の脚部１４’が、天板２の下面からネジ１６で固定して取り付けられている。
【００３２】
図３（ｃ）は、図３（ａ）のＡ−Ａ断面を示し、物品載置台１５の下面左右夫々に、下方に凹部を有する若干弾性を有する位置決め部材１７が固定されている。この位置決め部材１７の凹部に握りバー１４を弾力的に係合するように嵌入し、物品載置台１５を握りバー１４に着脱自在に取り付けることができる。従って、シンク側又は背面側から使用者が物品載置台１５を使用する場合には、簡単に取り付けることができ、使用後は取り除くことができる。
【００３３】
図３（ｄ）は実施例３の変形例１を示し、Ｕ型の握りバー１４を、天板２の左右両側面１８の夫々に、前後方向に延びるように外側方に向けて固定し、このＵ型の握りバー１４に、物品載置台１５を、取り付けブラケット１９を介して着脱可能に取り付けられるようにしたものである。
【００３４】
図３（ｅ）は実施例３の変形例２を示し、Ｕ型の握りバー１４を、キャビネット５の左右両側板２０の夫々に前後方向に延びるように外側方に向けて固定し、このＵ型の握りバー１４に物品載置台１５を、取り付けブラケット１９を介して着脱可能に取り付けられるようにしたものである。
【００３５】
図４（ａ）は、実施例３の変形例３を示し、Ｕ型の握りバー１４を、天板２の上面の背面側の端縁近くに該端縁に沿って左右方向に延びるように上方に向けて固定し、このＵ型の握りバー１４上に、図４（ｂ）に示すように、物品載置台１５を該載置台１５の下面にねじ止め取り付け具２１を介して着脱可能に取り付けられるようにしたものである。このねじ止め取り付け具２１は、その下面に凹部を有し、この凹部に対してねじが水平に前後方向に進出自在に螺着されて構成される。
【００３６】
このねじ止め取り付け具２１は、左右方向に短いものでも良く、この場合は、複数のねじ止め取り付け具２１を該載置台１５の下面の左右中央等、複数箇所に固定しておく。又、ねじ止め取り付け具２１は、Ｕ型の握りバー１４とほぼ同じ長さの長いものでも良く、この場合もねじ止め取り付け具２１を載置台１５の下面に固定しておく。このねじ止め取り付け具２１の凹部にＵ型の握りバー１４を嵌めるようにして、握りバー１４上にねじ止め取り付け具２１を介して物品載置台１５を置いて、ねじで握りバー１４に水平に締着する。
【００３７】
天板２を使用する場合は、図４（ｂ）に示すように、調理者が使用しやすいようにシンク側に向けて取り付けても良いし、図４（ｃ）に示すように、ダイニング側の人が使いやすいように背面側に向けて取り付けてもよい。
【００３８】
（実施例４）
図５は、本発明の実施例４のアイランド型キッチン２２を説明する図である。図５（ａ）に斜視図で示す実施例４のアイランド型キッチン２２は、天板２と、天板２に取り付けられたシンク４と、天板２の下部に配置されるキャビネット５と、左右の走行ブラケット２３で支持されて前後方向に移動する物品載置台１５を備えている。
【００３９】
キャビネット５の左右両側板２０には夫々レール部材２４が取り付けられており、左右の走行ブラケット２３は、夫々このレール部材２４を転動する車輪２５を有する。これにより、左右の走行ブラケット２３は、左右両側板２０の外面に沿って前後方向に走行可能である。左右の走行ブラケット２３は、その上端部で物品載置台１５を支持している。
【００４０】
実施例４は以上の構成であるから、物品載置台１５は、天板２の上方において前後方向に移動可能である。例えば、図５（ｂ）に示すように、調理者２６がシンク側から物品載置台１５上に食器２７等を置く際には、調理者が物品載置台１５にアプローチしやすい前後方向の適宜位置に物品載置台１５を移動する。又、背面側から使用者２８が天板２上に食器２７を置きたいような場合は、図５（ｃ）に示すように、物品載置台１５をシンク側に移動しておくことができる。
【００４１】
（実施例５）
図６は、本発明の実施例５のアイランド型キッチン２９を説明する図である。
図５（ａ）、（ｃ）に斜視図で示す実施例５のアイランド型キッチン２９は、実施例４とほぼ同様な構成であるが、その特徴とする構成は、左右の走行ブラケット２３により支持された物品載置台１５は、回動可能である点である。
【００４２】
具体的には、図６（ｃ）に示されているように、左右の走行ブラケット２３の間であって、左右の走行ブラケット２３の上端かつ後端（背面側の端）の角部に、物品載置台１５の端面が枢支ピン３０で枢着され、回動可能である。左右の走行ブラケット２３の夫々の内面の上部には物品載置台１５を水平に保持する受け片３１が水平状態に突設されているとともに、左右の走行ブラケット２３の夫々の内面の下部の後縁近くには物品載置台１５を垂直に規制する規制片３２が垂直状態で突設されている。
【００４３】
実施例５はこのような構成であるから、左右の走行ブラケット２３をシンク側又は背面側に移動して、物品載置台１５を使用することができる点は、実施例４と同様である。さらに実施例５の上記特徴的な構成によれば、図６（ａ）、（ｂ）に示すように、物品載置台１５を枢支ピン３０を中心に矢印のように反時計針方向に回動し、受け片３１で受け止めるようにして水平状態とすれば、物品載置台１５を食器等の物を置く棚として使用することができる。
【００４４】
又、図６（ｃ）、（ｄ）に示すように、物品載置台１５を枢支ピン３０を中心に時計針方向に回動して、その自重で規制片３２に当接した垂直状態とすれば、調理時の手元隠しや水はねを防止する仕切板として使用できる。
【００４５】
（実施例６）
図７は、本発明の実施例６のアイランド型キッチン３３を説明する図である。図７（ａ）、（ｂ）に斜視図で示すように、実施例６のアイランド型キッチン３３は、天板２と、天板２に取り付けられたシンク４と、天板２の下部に配置されるキャビネット５と、天板２上に設置可能な物品載置台１５を備えている。
【００４６】
この実施例６のキャビネット５は、シンク側に位置する前側キャビネット３４と、背面側に位置する背面キャビネット３５に分けられて構成されている。背面キャビネット３５は、開閉扉で開閉可能な開閉収納部３６と、この開閉収納部３６の上方の開閉扉等のない開放収納部３７とから構成されている。
【００４７】
物品載置台１５は、その左右両側の夫々の下面に脚板３８が固定されている。
この物品載置台１５は、開放収納部３７内に図７（ｂ）及び図７（ｃ）（図７（ａ）、（ｂ）のＣ−Ｃ断面図）の想像線（二点鎖線）で示すように、すっぽりと格納できるようなサイズに形成されている。
【００４８】
実施例６はこのような構成であるから、図７（ａ）、（ｃ）に示すように、天板２上に載置すれば、物品載置台１５を物品を載置する棚板として使用することができる。そして、物品載置台１５を不使用時には、図７（ｂ）及び図７（ｃ）の想像線で示すように、物品載置台１５を開放収納部３７に格納することができる。この場合は、物品載置台１５が、背面の開放収納部３７を閉じて背面側からみて壁面を形成する面材として機能する。
【００４９】
なお、図７（ｄ）は、実施例６の変形例を示す断面図である。この変形例の特徴は、物品載置台１５の左右両側の夫々の下面に固定された脚板３９の前縁に凹部４０が形成されており、この凹部４０に天板２の後縁を挿入し、止めねじ４１で下方から締着できるようにした構成である。この構成により、物品載置台１５を天板２に着脱自在、かつしっかりと固定することができる。
【００５０】
（実施例７）
図８は、本発明の実施例７のアイランド型キッチン４２を説明する図である。
図８（ａ）に斜視図で示すように、実施例７のアイランド型キッチン４２は、天板２と、天板２に取り付けられたシンク４と、天板２の下部に配置されるキャビネット５と、天板２の背面側の端部からダイニング方向に向けて水平に設置可能な可動棚４３を備えている。
【００５１】
この実施例７のキャビネット５は、実施例６と同様に、シンク側に位置する前側キャビネット３４と、背面側に位置する背面キャビネット３５に分けられて構成されている。背面キャビネット３５は、特に引き出しや開閉扉等の設けられていない開放収納部４４を有する。この開放収納部４４には、二つのキャスター付き椅子４５が格納可能である。
【００５２】
可動棚４３は、図８（ａ）、（ｂ）（図８（ａ）のＢ−Ｂ断面図）に示すように、その左右両側面がキャビネットの左右側板２０の内面であって背面側かつ上端部（要するに背面キャビネットの開口側であって内面上端部）に、ピン４６で枢着されている。このピン４６を中心に、選択的に、垂直状態（図８（ａ）、（ｂ）の実線で示す位置）と水平状態（図８（ａ）、（ｂ）の想像線で示す位置）となるように回動することができる。
【００５３】
可動棚４３を水平状態として使用する場合は、水平状態を維持する手段が必要である。水平維持手段としては、いろいろな手段が考えられる。例えば、図８（ｃ）に一部断面図で示すように、キャビネットの側板２０と可動棚４３の自由端側の間に、折り畳み可能な支持用リンク４７を設け、この支持用リンク４７で可動棚４３を水平状態に支持できるような構成としてもよい。
【００５４】
ところで、可動棚４３を図８（ａ）、（ｂ）に示すような垂直状態とした際に、キャスター付き椅子４５の背板４８の上端に、可動棚４３の下端が当らないように、可動棚４３及と背板４８の寸法が決められる。このようにすると、可動棚４３及びキャスター付き椅子４５の不使用時には、キャスター付き椅子４５を開放収納部４４内に格納し、可動棚４３を垂直の状態（図８（ａ）、（ｂ）参照）とすると、背面側（ダイニング側）から見て開放収納部４４が背板４８と可動棚４３で連続的に閉じられた状態となり、両者が面材としての機能を有する。
【００５５】
そして、図８（ａ）、（ｂ）で想像線で示すように、可動棚４３を水平状態にすれば、可動棚４３を補助的なテーブルとして使用でき、実施例１で述べたように、ダイニング側の使用者は、キャスター付き椅子４５を使用して簡単な食事等に利用することができる。
【００５６】
なお、図８（ｄ）は、実施例７の変形例を示す断面図であって、可動棚４９を常時は水平状態で開放収納部４４内に格納されており、使用時には背面側に水平に引き出し自在な構成としたものである。この変形例では、開放収納部４４に格納されるキャスター付き椅子４５の背板４８は図８（ｂ）のキャスター付き椅子４５に較べて高くして、水平な可動棚４３の直ぐ下まで延び、開放収納部４４を閉じることのできる面材として機能するように構成されている。
【００５７】
（実施例８）
図９は、本発明の実施例８のアイランド型キッチン５０を説明する図である。
図９（ａ）に斜視図で示すように、実施例８のアイランド型キッチン５０は、天板２と、天板２に取り付けられたシンク４と、天板２の下部に配置されるキャビネット５を備えている。
【００５８】
この実施例８のキャビネット５は、実施例７同様に、図９（ｃ）に断面図で示すように、シンク側に位置する前側キャビネット３４と、背面側に位置する背面キャビネット３５に分けられて構成されている。背面キャビネット３５は、特に引き出しや開閉扉等の設けられていない開放収納部４４を有する。この開放収納部４４には、二つのキャスター付き収納庫５１（収納棚）を格納可能である。
【００５９】
キャスター付き収納庫５１は、その前面に開閉可能な抽斗収納部５２が形成されており、その背面には折り畳み可能な棚５３が付設されている。折り畳み可能な棚５３は、互いに回動可能であるが、一方向（図９（ｃ）では矢印のような反時計針方向）には９０度しか回動可能ではない水平支持板５４と、垂直支持板５５と、棚板５６とから成り、水平支持板５４の基端は、キャスター付き収納庫５１の背面上端に回動可能に取り付けられている。
【００６０】
なお、水平支持板５４と、垂直支持板５５と、棚板５６とを互いに一方向には９０度しか回動できない構成としては、この一方向に、９０度回動すると図示しない規制部材に係合しそれ以上回動できないような構造とすればよい。
【００６１】
図９（ｂ）（図９（ａ）のＢ−Ｂ断面図）に示すように、折り畳み可能な棚５３は、その不使用時には、キャスター付き収納庫５１の背面に沿って垂直に垂れた不使用な状態としてキャスター付き収納庫５１を、折り畳み可能な棚５３を開放収納部４４内に向けて格納する。そして、抽斗収納部５２をダイニング側に向けて使用可能な状態とする。
【００６２】
逆に、図９（ｃ）に示すように、その抽斗収納部５２を開放収納部４４内に向けて不使用な状態とする場合は、折り畳み可能な棚５３を外側に向け、水平支持板５４を、反時計針方向に９０度回動して水平状態とし、垂直支持板を反時計針方向に９０度回動して垂直状態とし、棚板５６を９０度反時計針方向に回動して水平状態とし、天板２上に水平な状態で支持する。
【００６３】
なお、水平支持板を図９（ａ）、（ｃ）に示すように、水平状態に維持する必要があるが、いろいろな手段が考えられる。このための維持手段はここでは特に図示はしないが、例えば、実施例７の図８（ｃ）で示したものと同じような支持用リンクを利用し、これをキャスター付き収納庫５１の左右の側面と水平支持板の側面の間に取り付ける構成とすればよい。
【００６４】
実施例８は、以上の構成であるから、図９（ａ）、（ｃ）に示すように、棚板５６を天板２上で水平状態とすれば、物品を載置して使用することができる。そして、棚板５６の不使用時には、図９（ｂ）で示すように、キャスター付き収納庫５１を開放収納部４４内に収納し、その抽斗収納部５２を外側に向けて使用可能な状態とすればよい。
【００６５】
ところで、実施例８において、キャスター付き収納庫（収納棚）として図９に示すキャスター付き収納庫５１とは異なる構造の収納庫を利用してもよい。これを図１０に実施例８の変形例として示す。図１０に示すキャスター付き収納庫５７は、実施例８のキャスター付き収納庫５１と同様に、図１０（ａ）に示すように、その前面に開閉可能な抽斗収納部５２が形成されているが、キャスター付き収納庫５１とは異なり、その背面には折り畳み可能な棚５３は付設されていない。その代わりに、キャスター付き収納庫５７には、断面Ｌ型板５８が取り付けられており、その一部が水平な物品載置台５９を構成し、抽斗収納部５２の上部に配置するように形成されている。
【００６６】
図１０（ｂ）（図１０（ａ）でキャスター付き収納庫５７を格納した場合のＢ−Ｂ断面図）に示すように、このキャスター付き収納庫５７は、その背面側からキャビネット５の開放収納部４４内に格納でき、この時、水平な物品載置台５９が天板２より上側に位置する。又、図１０（ｃ）に断面図で示すように、キャスター付き収納庫５７を開放収納部４４からダイニング側に引き出し、物品載置台５９を天板２より上側であってダイニング側に寄せて使用することもできる。
【００６７】
以上、本発明に係るアイランド型キッチンの実施形態を実施例に基づいて説明したが、本発明は特にこのような実施例に限定されることなく、特許請求の範囲記載の技術的事項の範囲内でいろいろな実施例があることはいうまでもない。
【００６８】
【発明の効果】
以上のような構成の本発明に係るアイランド型キッチンによると、次のような効果が生じる。
（１）天板とは別に、補助天板、物品載置台又は棚等を着脱可能に設けることができるから、食器等を置くスペースが広くなり、シンク側からもダイニング側からも使い勝手が良くなる。
【００６９】
（２）シンク側だけでなく、ダイニング側でも作業や食事に利用できる補助的なテーブル、収納、椅子等の諸設備を設けたので、キッチンとダイニングルームの間等に設置するアイランド型キッチンの良さを十分生かして、有意義に活用することができる。
【００７０】
（３）補助天板や物品載置台は、物品を置くだけでなく、調理者の手元を隠したり、水はねを防止したりする仕切板としても有用である。
【図面の簡単な説明】
【図１】本発明の実施例１を説明する図である。
【図２】本発明の実施例２を説明する図である。
【図３】本発明の実施例３及びその変形例を説明する図である。
【図４】本発明の実施例３の変形例説明する図である。
【図５】本発明の実施例４を説明する図である。
【図６】本発明の実施例５を説明する図である。
【図７】本発明の実施例６及びその変形例を説明する図である。
【図８】本発明の実施例７及びその変形例を説明する図である。
【図９】本発明の実施例８を説明する図である。
【図１０】本発明の実施例８の変形例を説明する図である。
【符号の説明】
１　　実施例１のアイランド型キッチン
２　　天板
３　　補助天板
４　　シンク
５　　キャビネット
６　　ヒンジ
７、４６　　ピン
８　　掛け金
９　　椅子
１０　　実施例２のアイランド型キッチン
１１　　ネット状ポケット
１２　　雑誌
１３　　実施例３のアイランド型キッチン
１４　　握りバー
１５、５９　　物品載置台
１６　　ネジ
１７　　位置決め部材
１８　　天板２の側面
１９　　取り付けブラケット
２０　　キャビネットの側板
２１　　ねじ止め取り付け具
２２　　実施例４のアイランド型キッチン
２３　　走行ブラケット
２４　　レール部材
２５　　車輪
２６　　調理者
２７　　食器
２８　　使用者
２９　　実施例５のアイランド型キッチン
３０　　枢支ピン
３１　　受け片
３２　　規制片
３３　　実施例６のアイランド型キッチン
３４　　前側キャビネット
３５　　背面キャビネット
３６　　開閉収納部
３７、４４　　開放収納部
３８、３９　　脚板
４０　　脚板前縁の凹部
４１　　止めねじ
４２　　実施例７のアイランド型キッチン
４３　　棚
４５　　キャスター付き椅子
４７　　支持用リンク
４８　　背板
４９　　可動棚
５０　　アイランド型キッチン
５１、５７　　キャスター付き収納庫
５２　　抽斗収納部
５３　　折り畳み可能な棚
５４　　水平支持板
５５　　垂直支持板
５６　　棚板
５８　　断面Ｌ型板
【図１】
2004049565.tif 000003
【図２】
2004049565.tif 000004
【図３】
2004049565.tif 000005
【図４】
2004049565.tif 000006
【図５】
2004049565.tif 000007
【図６】
2004049565.tif 000008
【図７】
2004049565.tif 000009
【図８】
2004049565.tif 000010
【図９】
2004049565.tif 000011
【図１０】
2004049565.tif 000012